【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
以下の成分（Ａ）及び（Ｂ）を含有し、且つ以下の成分（Ｃ）、（Ｄ）及び（Ｅ）のうち少なくとも１成分を含有する硬化性組成物であって：
（Ａ）主鎖に下記一般式（１）で表されるポリシロキサン構造を有する構成単位、及び側鎖にエチレン性不飽和基を有する構成単位を含む共重合体、
一般式（１）：
【化１】
2008106190.tif 000001
｛一般式（１）中、Ｒ11、Ｒ12は、水素原子、アルキル基、又はアリール基を表す。ｐは１０〜５００の整数を表す。｝
（Ｂ）エチレン性不飽和基を１分子中に少なくとも１個有する化合物、
（Ｃ）オルガノシラン化合物又は、該オルガノシラン化合物の加水分解物及び／又はその部分縮合物、
（Ｄ）重合開始剤、
（Ｅ）無機微粒子、
かつ、
前記（Ａ）成分の共重合体が下記一般式（３）で表される共重合体であり、該共重合体が高分子開始剤法で製造されていることを特徴とする硬化性組成物。
一般式（３）：
【化１００】
2008106190.tif 000002
｛一般式（３）中、Ｘ31は上記一般式（１）で表されるポリシロキサン構造を含む単位を表す。Ｙ31は任意のビニルモノマーに基づく重合単位を表し、単一であっても複数種で構成されていてもよい。Ｌ31は単結合又は２価の連結基を表し、Ｒ31及びＲ32は、それぞれ独立して、水素原子又はメチル基を表す。ｘ〜ｚはそれぞれ各構成単位のモル分率（％）を表し、１０≦ｘ＜１００、０≦ｙ≦９０、１≦ｚ≦５０を満たす値を表す。｝
【請求項２】
成分（Ｃ）におけるオルガノシラン化合物が、下記一般式（２）で表される請求項１に記載の硬化性組成物。
一般式（２）：
【化２】
2008106190.tif 000003
｛一般式（２）において、Ｒ22は、水素原子、メチル基、メトキシ基、アルコキシカルボニル基、シアノ基、フッ素原子又は塩素原子を表す。Ｕ21は、単結合、エステル基、アミド基、エーテル基又はウレア基を表す。Ｌ21は、２価の連結鎖を表す。ｍ１は０又は１を表す。Ｒ20は、置換もしくは無置換のアルキル基、又は置換もしくは無置換のアリール基を表す。Ｘ21は水酸基又は加水分解可能な基を表す。Ｘ21が複数存在するとき、複数のＸ21は、それぞれ同じであっても異なっていてもよい。｝
【請求項３】
成分（Ｅ）の無機微粒子がシリカ微粒子である請求項１又は請求項２に記載の硬化性組成物。
【請求項４】
シリカ微粒子が、平均粒子径が３０ｎｍ以上１５０ｎｍ以下の中空シリカ微粒子である請求項３に記載の硬化性組成物。
【請求項５】
一般式（３）において、上記一般式（１）で表されるポリシロキサン構造を含む構成単位Ｘ31のモル分率（％）ｘが、５０≦ｘ＜１００を満たす請求項１〜４のいずれかに記載の硬化性組成物。
【請求項６】
成分（Ｂ）のエチレン性不飽和基を１分子中に少なくとも１個有する化合物が多官能（メタ）アクリレートモノマーである請求項１〜５のいずれかに記載の硬化性組成物。
【請求項７】
前記一般式（３）で表される共重合体の重合単位Ｙ31が含フッ素ビニルモノマーに基づく重合単位である請求項１〜６のいずれかに記載の硬化性組成物。
【請求項８】
成分（Ｂ）のエチレン性不飽和基を１分子中に少なくとも１個有する化合物が、下記一般式（４）で表される含フッ素共重合体である請求項１〜７のいずれかに記載の硬化性組成物。
一般式（４）：
【化４】
2008106190.tif 000004
｛一般式（４）中、Ｒｆ41は炭素数１〜５のペルフルオロアルキル基を表し、Ｒｆ42は炭素数１〜３０の直鎖、分岐又は脂環構造を有する含フッ素アルキル基を表し、エーテル結合を有していてもよい。Ｌ41は単結合又は２価の連結基を表し、Ｒ41は水素原子又はメチル基を表す。Ａ41は任意のビニルモノマーに基づく重合単位を表し、単一であっても複数種で構成されていてもよい。Ｂ41はポリシロキサン構造を主鎖又は側鎖に含む構成単位を表す。ａ〜ｄはそれぞれ各構成単位のモル分率（％）を表し、３０≦ａ＋ｂ≦９５、５≦ａ≦９０、０≦ｂ≦７０、５≦ｃ≦５０、０≦ｄ≦９０を満たす値を表す。ｅは重合単位Ｂ41の、他の構成単位全体の質量に対する質量分率（％）を表し、０≦ｅ＜２０の関係
を満たす。｝
【請求項９】
請求項１〜８のいずれかに記載の硬化性組成物を硬化してなる機能層を少なくとも１層有する光学フィルム。
【請求項１０】
機能層が低屈折率層であり、光学フィルムが光学干渉による反射防止機能又は防眩機能を有する請求項９記載の光学フィルム。
【請求項１１】
請求項９又は１０に記載の光学フィルムが、偏光板における偏光膜の２枚の保護フィルムのうちの一方に用いられている偏光板。
【請求項１２】
請求項９もしくは１０に記載の光学フィルム、又は請求項１１に記載の偏光板がディスプレイの最表面に用いられている画像表示装置。
【手続補正２】
【補正対象書類名】明細書
【補正対象項目名】００１２
【補正方法】変更
【補正の内容】
【００１２】
［１］  以下の成分（Ａ）及び（Ｂ）を含有し、且つ以下の成分（Ｃ）、（Ｄ）及び（Ｅ）のうち少なくとも１成分を含有する硬化性組成物であって：
（Ａ）主鎖に下記一般式（１）で表されるポリシロキサン構造を有する構成単位、及び側鎖にエチレン性不飽和基を有する構成単位を含む共重合体、
【手続補正３】
【補正対象書類名】明細書
【補正対象項目名】００１４
【補正方法】変更
【補正の内容】
【００１４】
｛一般式（１）中、Ｒ11、Ｒ12は、水素原子、アルキル基、又はアリール基を表す。ｐは１０〜５００の整数を表す。｝
（Ｂ）エチレン性不飽和基を１分子中に少なくとも１個有する化合物、
（Ｃ）オルガノシラン化合物又は、該オルガノシラン化合物の加水分解物及び／又はその部分縮合物、
（Ｄ）重合開始剤、
（Ｅ）無機微粒子、
かつ、
前記（Ａ）成分の共重合体が下記一般式（３）で表される共重合体であり、該共重合体が高分子開始剤法で製造されていることを特徴とする硬化性組成物。
一般式（３）：
【化１０１】
2008106190.tif 000005
｛一般式（３）中、Ｘ31は上記一般式（１）で表されるポリシロキサン構造を含む単位を表す。Ｙ31は任意のビニルモノマーに基づく重合単位を表し、単一であっても複数種で構成されていてもよい。Ｌ31は単結合又は２価の連結基を表し、Ｒ31及びＲ32は、それぞれ独立して、水素原子又はメチル基を表す。ｘ〜ｚはそれぞれ各構成単位のモル分率（％）を表し、１０≦ｘ＜１００、０≦ｙ≦９０、１≦ｚ≦５０を満たす値を表す。｝
［２］  成分（Ｃ）におけるオルガノシラン化合物が、下記一般式（２）で表される［１］に記載の硬化性組成物。
【手続補正４】
【補正対象書類名】明細書
【補正対象項目名】００１６
【補正方法】変更
【補正の内容】
【００１６】
｛一般式（２）において、Ｒ22は、水素原子、メチル基、メトキシ基、アルコキシカルボニル基、シアノ基、フッ素原子又は塩素原子を表す。Ｕ21は、単結合、エステル基、アミド基、エーテル基又はウレア基を表す。Ｌ21は、２価の連結鎖を表す。ｍ１は０又は１を表す。Ｒ20は、置換もしくは無置換のアルキル基、又は置換もしくは無置換のアリール基を表す。Ｘ21は水酸基又は加水分解可能な基を表す。Ｘ21が複数存在するとき、複数のＸ21は、それぞれ同じであっても異なっていてもよい。｝
［３］  成分（Ｅ）の無機微粒子がシリカ微粒子である［１］又は［２］に記載の硬化性組成物。
［４］  シリカ微粒子が、平均粒子径が３０ｎｍ以上１５０ｎｍ以下の中空シリカ微粒子である［３］に記載の硬化性組成物。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
［５］  一般式（３）において、上記一般式（１）で表されるポリシロキサン構造を含む構成単位Ｘ31のモル分率（％）ｘが、５０≦ｘ＜１００を満たす［１］〜［４］のいずれかに記載の硬化性組成物。
［６］  成分（Ｂ）のエチレン性不飽和基を１分子中に少なくとも１個有する化合物が多官能（メタ）アクリレートモノマーである［１］〜［５］のいずれかに記載の硬化性組成物。
［７］  前記一般式（３）で表される共重合体の重合単位Ｙ31が含フッ素ビニルモノマーに基づく重合単位である［１］〜［６］のいずれかに記載の硬化性組成物。
［８］  成分（Ｂ）のエチレン性不飽和基を１分子中に少なくとも１個有する化合物が、下記一般式（４）で表される含フッ素共重合体である［１］〜［７］のいずれかに記載の硬化性組成物。
【手続補正７】
【補正対象書類名】明細書
【補正対象項目名】００２４
【補正方法】変更
【補正の内容】
【００２４】
本発明は、上記［１］〜［１２］に関するものであるが、その他の事項についても参考のために記載した。
＜硬化性組成物＞
本発明の硬化性組成物は、以下の成分（Ａ）及び（Ｂ）を含有し、且つ以下の成分（Ｃ）、（Ｄ）及び（Ｅ）のうち少なくとも１成分を含有する（明細書において本発明の硬化性組成物と称することがある）。